(57)【要約】【課題】上階の室内及び下階の室内のエアバランスを維持しながら、上階の室内におけるペリメータゾーン及び下階の室内におけるペリメータゾーンの空調を行い、ペリメータゾーンにおける温熱環境を効率良く改善すること。【解決手段】風路切換手段１０及び空調機１１を制御して、上階室内連通状態にて上階の室内３から還気して空調機１１にて加熱し、その加熱空気を上階の室内のペリメータゾーン３ａに床側から給気する上階ペリメータ暖房運転と、下階室内連通状態にて下階の室内４から還気して空調機１１にて冷却し、その冷却空気を下階の室内のペリメータゾーン４ａに天井側から給気する下階ペリメータ冷房運転とを択一的に実行可能な運転制御部４０が備えられている。【選択図】図１
2019184162.tif 000002
【特許請求の範囲】
【請求項１】
上階の室内と下階の室内との間の空間内に設けられた冷暖房可能な空調機と、
前記上階の室内に臨む上階用還気口と前記空調機とを接続する上階用還気路と、
前記上階の室内のペリメータゾーンに床側から臨む上階用給気口と前記空調機とを接続する上階用給気路と、
前記下階の室内に臨む下階用還気口と前記空調機とを接続する下階用還気路と、
前記下階の室内のペリメータゾーンに天井側から臨む下階用給気口と前記空調機とを接続する下階用給気路と、
前記上階用還気口及び前記上階用還気路を通じて前記上階の室内と前記空調機とを連通させ、且つ、前記上階用給気口及び前記上階用給気路を通じて前記空調機と前記上階の室内とを連通させる上階室内連通状態と、前記下階用還気口及び前記下階用還気路を通じて前記下階の室内と前記空調機とを連通させ、且つ、前記下階用給気口及び前記下階用給気路を通じて前記空調機と前記下階の室内とを連通させる下階室内連通状態とを切換可能な風路切換手段と、
前記風路切換手段及び前記空調機を制御して、前記上階室内連通状態にて前記上階の室内から還気して前記空調機にて加熱し、その加熱空気を前記上階の室内のペリメータゾーンに床側から給気する上階ペリメータ暖房運転と、前記下階室内連通状態にて前記下階の室内から還気して前記空調機にて冷却し、その冷却空気を前記下階の室内のペリメータゾーンに天井側から給気する下階ペリメータ冷房運転とを択一的に実行可能な運転制御部とが備えられているペリメータ空調システム。
【請求項２】
前記上階用還気路、前記上階用給気路、前記下階用還気路、及び、前記下階用給気路の全体又は略全体が、前記上階の室内と前記下階の室内との間の空間内に設けられている請求項１に記載のペリメータ空調システム。
【請求項３】
前記上階と前記下階とを区画するスラブと、
前記スラブの上方に床下空間を空けて設けられた上階の床部とが備えられ、
前記空調機は、前記上階の室内と前記下階の室内との間の空間における前記スラブよりも下方に設けられ、
前記上階用給気路は、前記スラブを貫通する状態で前記空調機と前記床下空間とを接続する上階用給気ダクトを備え、
前記上階用給気口は、前記上階の床部に設けられ、
前記上階用給気路は、前記上階用給気ダクト及び前記床下空間を通じて前記床部の前記上階用給気口からペリメータゾーンに給気可能に構成されている請求項１又は２に記載のペリメータ空調システム。
【請求項４】
前記上階用還気口と前記上階用給気口とが、前記上階用還気口がインテリアゾーン側で前記上階用給気口がペリメータゾーン側となる配置状態で設けられ、
前記下階用還気口と前記下階用給気口とが、前記下階用還気口がインテリアゾーン側で前記下階用給気口がペリメータゾーン側となる配置状態で設けられている請求項１〜３の何れか１項に記載のペリメータ空調システム。
【発明の詳細な説明】
【技術分野】
【０００１】
本発明は、ペリメータゾーンの空調を行うペリメータ空調システムに関する。
【背景技術】
【０００２】
建物の窓側のペリメータゾーンでは、冬季等に、低温外気の影響で暖房負荷が生じ、夏季等に、日射や高温外気の影響で冷房負荷が生じる。そこで、ペリメータゾーンにおける暖房負荷及び冷房負荷を賄うために、ペリメータゾーンの暖房及び冷房等の空調を行うペリメータ空調システムが備えられている。
【０００３】
複数階を有する建物において、複数の階の夫々に個別にペリメータ空調システムを備えると、ペリメータ空調システムの数が増大してしまい、構成の複雑化及びコストアップを招くことになる。
【０００４】
ペリメータ空調システムではないものの、建物の室内の空調を行う空調システムでは、上階の室内と下階の室内との間のスペースに、冷暖房可能な空調機を備え、その空調機にて上階の室内の暖房と下階の室内の冷房とを行うものがある（例えば、特許文献１参照。）。
【０００５】
特許文献１に記載のシステムでは、空調機と上階の室内とを接続する暖気ダクトと、空調機と下階の室内とを接続する冷気ダクトと、空調機からの空調空気を暖気ダクトに供給する状態と冷気ダクトに供給する状態とに切り換えるダンパとが備えられている。上階の室内の暖房を行う場合には、空調機を暖房運転させて、空調機からの空調空気（暖気）を暖気ダクトに供給する状態にダンパを切り換える。下階の室内の冷房を行う場合には、空調機を冷房運転させて、空調機からの空調空気（冷気）を冷気ダクトに供給する状態にダンパを切り換える。
【先行技術文献】
【特許文献】
【０００６】
【特許文献１】特開平５−７１７９５号公報
【発明の概要】
【発明が解決しようとする課題】
【０００７】
特許文献１に記載のシステムでは、建物の室内の空調を行う空調システムに関するものであり、室内の全体に対して空調機からの空調空気を給気することで、室内全体の空調負荷を賄うようにしている。よって、特許文献１に記載のシステムでは、ペリメータゾーンにて発生する暖房負荷や冷房負荷を賄うための空調を行う点については記載されておらず、ペリメータゾーンにおける温熱環境を効率良く改善することができない可能性がある。
【０００８】
また、特許文献１に記載のシステムでは、空調機にて空調した空調空気を上階の室内や下階の室内に給気することが記載されているものの、空調対象の空気をどこから空調機に供給（還気）するかについては記載されていない。よって、上階の室内の暖房を行う場合に、上階の室内に対して、空調機からの空調空気（暖気）が供給されるだけとなると、上階の室内のエアバランスが崩れる可能性がある。また、下階の室内の冷房を行う場合に、下階の室内に対して、空調機からの空調空気（冷気）が供給されるだけとなると、下階の室内のエアバランスが崩れる可能性がある。
【０００９】
この実情に鑑み、本発明の主たる課題は、上階の室内及び下階の室内のエアバランスを維持しながら、上階の室内におけるペリメータゾーン及び下階の室内におけるペリメータゾーンの空調を行い、ペリメータゾーンにおける温熱環境を効率良く改善することができるペリメータ空調システムを提供する点にある。
【課題を解決するための手段】
【００１０】
本発明の第１特徴構成は、上階の室内と下階の室内との間の空間内に設けられた冷暖房可能な空調機と、
前記上階の室内に臨む上階用還気口と前記空調機とを接続する上階用還気路と、
前記上階の室内のペリメータゾーンに床側から臨む上階用給気口と前記空調機とを接続する上階用給気路と、
前記下階の室内に臨む下階用還気口と前記空調機とを接続する下階用還気路と、
前記下階の室内のペリメータゾーンに天井側から臨む下階用給気口と前記空調機とを接続する下階用給気路と、
前記上階用還気口及び前記上階用還気路を通じて前記上階の室内と前記空調機とを連通させ、且つ、前記上階用給気口及び前記上階用給気路を通じて前記空調機と前記上階の室内とを連通させる上階室内連通状態と、前記下階用還気口及び前記下階用還気路を通じて前記下階の室内と前記空調機とを連通させ、且つ、前記下階用給気口及び前記下階用給気路を通じて前記空調機と前記下階の室内とを連通させる下階室内連通状態とを切換可能な風路切換手段と、
前記風路切換手段及び前記空調機を制御して、前記上階室内連通状態にて前記上階の室内から還気して前記空調機にて加熱し、その加熱空気を前記上階の室内のペリメータゾーンに床側から給気する上階ペリメータ暖房運転と、前記下階室内連通状態にて前記下階の室内から還気して前記空調機にて冷却し、その冷却空気を前記下階の室内のペリメータゾーンに天井側から給気する下階ペリメータ冷房運転とを択一的に実行可能な運転制御部とが備えられている点にある。
【００１１】
本構成によれば、上階のペリメータゾーンに暖房負荷が生じる場合には、運転制御部が上階ペリメータ暖房運転を実行することができる。この場合には、上階の室内から還気して空調機にて加熱し、その加熱空気を上階の室内のペリメータゾーンに床側から給気することができる。よって、上階の室内のエアバランスを維持しながら、床側からの暖気の自然上昇を利用して上階の室内のペリメータゾーンの温熱環境を効率良く改善することができる。
【００１２】
下階のペリメータゾーンに冷房負荷が生じる場合には、運転制御部が下階ペリメータ冷房運転を実行することができる。この場合には、下階の室内から還気して空調機にて冷却し、その冷却空気を下階の室内のペリメータゾーンに天井側から給気することができる。よって、下階の室内のエアバランスを維持しながら、天井側からの冷気の自然降下を利用して下階の室内のペリメータゾーンの温熱環境を効率良く改善することができる。
【００１３】
しかも、上階の室内と下階の室内との間の空間内に冷暖房可能な空調機を配設するので、上階の室内と下階の室内にペリメータ空調用の空調機の設置スペースが不要となり、上階及び下階の室内空間の有効利用を可能とすることができる。
【００１４】
以上のことから、上階及び下階の室内空間の有効利用を可能とし、上階の室内及び下階の室内のエアバランスを維持しながら、上階及び下階の室内のペリメータゾーンの温熱環境を効率良く改善することができる。
【００１５】
本発明の第２特徴構成は、前記上階用還気路、前記上階用給気路、前記下階用還気路、及び、前記下階用給気路の全体又は略全体が、前記上階の室内と前記下階の室内との間の空間内に設けられている点にある。
【００１６】
本構成によれば、上階の室内と下階の室内にペリメータ空調用のダクト等の設置スペースが不要となり、上階及び下階の室内空間の一層の有効利用を可能とすることができる。
【００１７】
本発明の第３特徴構成は、前記上階と前記下階とを区画するスラブと、
前記スラブの上方に床下空間を空けて設けられた上階の床部とが備えられ、
前記空調機は、前記上階の室内と前記下階の室内との間の空間における前記スラブよりも下方に設けられ、
前記上階用給気路は、前記スラブを貫通する状態で前記空調機と前記床下空間とを接続する上階用給気ダクトを備え、
前記上階用給気口は、前記上階の床部に設けられ、
前記上階用給気路は、前記上階用給気ダクト及び前記床下空間を通じて前記床部の前記上階用給気口からペリメータゾーンに給気可能に構成されている点にある。
【００１８】
本構成によれば、上階用給気路は、上階用給気ダクト及び床下空間を通じて床部の上階用給気口からペリメータゾーンに給気可能であるので、床下空間を上階用給気路に利用する分だけ給気ダクトの量を削減することができる。また、上階用給気ダクトを床下空間に設ける場合に比べて、床下空間の高さを低くして室内空間を拡大することができ、室内空間の更なる有効利用が可能となる。しかも、上階の床部の下の床下空間の平面形状（窓際まで広がる形状）を有効に利用してペリメータゾーンに冷却空気を効果的に供給することができ、上階の室内のペリメータゾーンの温熱環境を効果的に改善することができる。
【００１９】
本発明の第４特徴構成は、前記上階用還気口と前記上階用給気口とが、前記上階用還気口がインテリアゾーン側で前記上階用給気口がペリメータゾーン側となる配置状態で設けられ、
前記下階用還気口と前記下階用給気口とが、前記下階用還気口がインテリアゾーン側で前記下階用給気口がペリメータゾーン側となる配置状態で設けられている点にある。
【００２０】
本構成によれば、上階用ペリメータ暖房運転及び下階用ペリメータ冷房運転の両方において、還気の気流等に邪魔されることなく、室内のペリメータゾーンに効率良く空調空気を給気して温熱環境を効率良く改善することができる。また、上階用給気口及び下階用給気口をペリメータゾーン側に配置することで、上階用給気口に接続する上階用給気路と下階用給気口に接続する下階用給気路を空調機のペリメータゾーン側に集約することができる。よって、給気ダクトの一部を共通化する等の合理化によって、構成の簡素化を図ることができる。上階用還気口及び下階用還気口についてもインテリアゾーン側に配置することで、上階用還気口に接続する上階用還気路と下階用還気口に接続する下階用還気路を空調機のインテリアゾーン側に集約することができる。よって、還気ダクトの一部を共通化する等の合理化によって、構成の簡素化を図ることができる。
【図面の簡単な説明】
【００２１】
【図１】上階ペリメータ暖房運転におけるペリメータ空調システムの概略構成を示す断面図
【図２】下階ペリメータ冷房運転におけるペリメータ空調システムの概略構成を示す断面図
【発明を実施するための形態】
【００２２】
本発明に係るペリメータ空調システムの実施形態を図面に基づいて説明する。
ペリメータ空調システム１は、図１及び図２に示すように、多数の階を有する建物２に備えられ、複数の階の夫々に対応して配置されている。図１及び図２では、建物２において２階層に相当する部位の縦断面図を示している。図１及び図２では、空気が通流する部位を太線にて示しており、空気が通流する部位が異なるだけであるので、以下、図１に基づいて、図中、上下方向の中央部に位置する階に備えられたペリメータ空調システム１について説明する。
【００２３】
建物２には、上階と下階とを区画するスラブ５が備えられている。スラブ５の上方には上階の床部６が備えられ、上階の床部６の下方には床下空間７ａ，７ｂが設けられている。床下空間７ａ，７ｂは、上階の床部６において、上階のペリメータゾーン３ａに相当する部位に備えられ、ペリメータゾーン３ａ側に位置する第１床下空間７ａとインテリアゾーン３ｂ側に位置する第２床下空間７ｂとに区画されている。スラブ５の下方には下階の天井部８が備えられ、スラブ５と下階の天井部８との間に天井空間９が設けられている。
【００２４】
ペリメータ空調システム１は、上階の室内３において窓部３ｃに隣接するペリメータゾーン３ａと、下階の室内４において窓部４ｃに隣接するペリメータゾーン４ａとを空調するように構成されている。ペリメータ空調システム１は、冷暖房可能な空調機１１、上階用還気路１２、上階用給気路１３、下階用還気路１４、下階用給気路１５、風路切換手段３０、ペリメータ空調システム１の運転を制御する運転制御部４０等が備えられている。ちなみに、運転制御部４０については、例えば、各階に備えられるペリメータ空調システム１の夫々に対して運転制御部４０を備え、複数の運転制御部４０同士を通信自在に構成することができる。これにより、各階において、ペリメータゾーン３ａ，４ａの空調を個別に行うことができるだけでなく、ある階において、ペリメータゾーン３ａ，４ａの空調を行う場合に、他の階においても、同時にペリメータゾーン３ａ，４ａの空調を行うことができる。図１及び図２では、図中、上下方向の中央部に位置する階に備えられたペリメータ空調システム１のもののみ図示している。
【００２５】
空調機１１は、上階の室内３と下階の室内４との間の天井空間９内に設けられている。空調機１１は、上階用還気路１２又は下階用還気路１４と上階用給気路１３又は下階用給気路１５とを通して空気を通流させるファン２１と、上階用還気路１２又は下階用還気路１４を通して供給される室内３，４からの還気（空気）を空調処理する空調処理部２２とが備えられている。
【００２６】
空調機１１は、冷房運転状態と暖房運転状態とに切換自在に構成されている。冷房運転状態では、図外の熱源から冷房用の熱媒体（例えば、冷水）を空調処理部２２に循環供給することで、上階用還気路１２又は下階用還気路１４を通して供給される還気（空気）を空調処理部２２にて冷却している。暖房運転状態では、図外の熱源から暖房用の熱媒体（例えば、温水）を空調処理部２２に循環供給することで、上階用還気路１２又は下階用還気路１４を通して供給される還気（空気）を空調処理部２２にて加熱している。
【００２７】
上階用還気路１２は、上階の室内３の空気を通流させて空調機１１に供給（還気）するように構成されている。上階用還気路１２は、上階の室内３に臨む上階用還気口１６と空調機１１とを接続している。上階用還気口１６は、上階のペリメータゾーン３ａと第２床下空間７ｂとを連通させる状態で上階の床部６に設けられている。上階用還気口１６は、窓部３ｃに沿って延びる形状に形成したり、窓部３ｃに沿って延びる方向に分散して形成することができる。上階用還気路１２は、スラブ５を貫通する状態で第２床下空間７ｂと空調機１１とを接続する上階用還気ダクト１２ａを備えている。上階用還気路１２は、上階の床部６における上階用還気口１６から上階の室内３（ペリメータゾーン３ａ付近）の空気を吸引し、その吸引した空気を第２床下空間７ｂ及び上階用還気ダクト１２ａを通じて空調機１１に還気している。
【００２８】
上階用給気路１３は、空調機１１からの空調空気を上階の室内３のペリメータゾーン３ａに給気するように構成されている。上階用給気路１３は、上階の室内３のペリメータゾーン３ａに床側から臨む上階用給気口１７と空調機１１とを接続している。上階用給気口１７は、上階のペリメータゾーン３ａと第１床下空間７ａとを連通させる状態で上階の床部６に設けられている。上階用給気口１７は、窓部３ｃに沿って延びる形状に形成したり、窓部３ｃに沿って延びる方向に分散して形成することができる。上階用給気口１７は、窓部３ｃに沿って延びる方向において、上階用還気口１６と同じ位置又は異なる位置に配設することができる。上階用給気路１３は、スラブ５を貫通する状態で空調機１１と第１床下空間７ａとを接続する上階用給気ダクト１３ａを備えている。上階用給気路１３は、空調機１１からの空調空気を、上階用給気ダクト１３ａ及び第１床下空間７ａを通じて上階の床部６における上階用給気口１７から上階のペリメータゾーン３ａに給気している。
【００２９】
下階用還気路１４は、図２に示すように、下階の室内４の空気を通流させて空調機１１に供給（還気）するように構成されている。下階用還気路１４は、下階の室内４に臨む下階用還気口１８と空調機１１を接続している。下階用還気口１８は、下階の室内４（インテリアゾーン４ｂ付近）と天井空間９とを連通させる状態で下階の天井部８に設けられている。下階用還気路１４は、下階の天井部８における下階用還気口１８から下階の室内４（インテリアゾーン４ｂ）の空気を吸引し、その吸引した空気を空調機１１に還気している。
【００３０】
下階用給気路１５は、図２に示すように、空調機１１からの空調空気を下階の室内４のペリメータゾーン４ａに給気するように構成されている。下階用給気路１５は、下階の室内４のペリメータゾーン４ａに天井側から臨む下階用給気口１９と空調機１１とを接続している。下階用給気口１９は、下階のペリメータゾーン４ａと天井空間９とを連通させる状態で下階の天井部８に設けられている。下階用給気口１９は、窓部４ｃに沿って延びる形状に形成したり、窓部４ｃに沿って延びる方向に分散して形成することができる。下階用給気口１９は、窓部４ｃに沿って延びる方向において、下階用還気口１８と同じ位置又は異なる位置に配設することができる。下階用給気路１５は、空調機１１からの空調空気を下階の天井部８における下階用給気口１９から下階のペリメータゾーン４ａに給気している。
【００３１】
上階の室内３における上階用還気口１６と上階用給気口１７との位置関係は、図１に示すように、上階用還気口１６がインテリアゾーン３ｂ側で上階用給気口１７がペリメータゾーン３ａ側となる配置状態で設けられている。上階用還気口１６は第２床下空間７ｂに備えられ、上階用給気口１７は第１床下空間７ａに備えられている。第１床下空間７ａと第２床下空間７ｂとは所定の距離を隔てて配置されている。これにより、上階用還気口１６と上階用給気口１７とは所定の距離を隔てて配置されているので、上階用給気口１７からの空調空気をペリメータゾーン３ａに適切に給気することができ、上階用給気口１７からの空調空気が直接上階用還気口１６から吸引されるショートサーキットが発生するのを防止している。
【００３２】
下階の室内４における下階用還気口１８と下階用給気口１９との位置関係は、下階用還気口１８がインテリアゾーン４ｂ側で下階用給気口１９がペリメータゾーン４ａ側となる配置状態で設けられている。下階用還気口１８は、例えば、下階のインテリアゾーン３ｂに相当する位置に配置されており、下階のペリメータゾーン４ａに相当する位置に配置される下階用給気口１９から離れた位置に配置されている。
【００３３】
上階用還気路１２及び下階用還気路１４は、空調機１１に対してインテリアゾーン３ｂ，４ｂ側から接続されるので、空調機１１に接続する側の流路部位の一部が、空調機１１のインテリアゾーン３ｂ，４ｂ側に集約して、共通の流路部位（還気ダクト）にて構成されている。上階用給気路１３及び下階用給気路１５は、空調機１１に対してペリメータゾーン３ａ，４ａ側から接続されるので、空調機１１に接続する側の流路部位の一部が、空調機１１のペリメータゾーン３ａ，４ａ側に集約して、共通の流路部位（給気ダクト）にて構成されている。
【００３４】
上階用還気路１２の上階用還気ダクト１２ａは、その大部分が下階の天井空間９内に設けられ、その残りの一部分がスラブ５を貫通している。上階用給気路１３の上階用給気ダクト１３ａは、その大部分が下階の天井空間９内に設けられ、その残りの一部分がスラブ５を貫通している。下階用還気路１４及び下階用給気路１５は、下階の天井空間９内に設けられている。これにより、上階用還気路１２、上階用給気路１３、下階用還気路１４、及び、下階用給気路１５の大部分が、下階の天井空間９内に設けられている。上階用還気路１２は、第２床下空間７ｂを含むものであり、上階用給気路１３は、第１床下空間７ａを含むものであるので、上階用還気路１２、上階用給気路１３、下階用還気路１４、及び、下階用給気路１５の全体又は略全体は、上階の室内３と下階の室内４との間の空間内に設けられている。
【００３５】
風路切換手段３０は、上階用還気路１２の途中部位に配置された第１開閉弁３１と、上階用給気路１３の途中部位に配置された第２開閉弁３２と、下階用還気路１４の途中部位に配置された第３開閉弁３３と、下階用給気路１５の途中部位に配置された第４開閉弁３４とが備えられている。
【００３６】
風路切換手段３０は、上階の室内３、下階の室内４、及び、空調機１１における連通状態を、上階室内連通状態（図１参照）と下階室内連通状態（図２参照）とに切換自在に構成されている。上階室内連通状態では、図１に示すように、風路切換手段３０が、第１開閉弁３１及び第２開閉弁３２を開状態（図１中黒塗りにて示す）とし且つ第３開閉弁３３及び第４開閉弁３４を閉状態（図１中白抜きにて示す）としている。これにより、上階室内連通状態では、上階用還気口１６及び上階用還気路１２を通じて上階の室内３と空調機１１とを連通させ、且つ、上階用給気口１７及び上階用給気路１３を通じて空調機１１と上階の室内３とを連通させている。下階室内連通状態では、図２に示すように、風路切換手段３０が、第１開閉弁３１及び第２開閉弁３２を閉状態（図２中白抜きにて示す）とし且つ第３開閉弁３３及び第４開閉弁３４を開状態（図２中黒塗りにて示す）としている。これにより、下階用還気口１８及び下階用還気路１４を通じて下階の室内４と空調機１１とを連通させ、且つ、下階用給気口１９及び下階用給気路１５を通じて空調機１１と下階の室内４とを連通させている。
【００３７】
運転制御部４０は、風路切換手段３０、及び、空調機１１を制御することで、ペリメータ空調システム１の運転を制御している。運転制御部４０は、リモコン等からの指令に基づいて、上階ペリメータ暖房運転と下階ペリメータ冷房運転とを択一的に実行可能に構成されている。
【００３８】
上階ペリメータ暖房運転では、図１に示すように、運転制御部４０が、風路切換手段３０を上階室内連通状態に切り換え、且つ、空調機１１を暖房運転状態に切り換えている。これにより、上階室内連通状態にて上階の室内３から還気して空調機１１にて加熱し、その加熱空気を上階のペリメータゾーン３ａに床側から給気している。よって、上階の室内３のエアバランスを維持しながら、床側からの暖気の自然上昇を利用して上階のペリメータゾーン３ａの温熱環境を効率良く改善することができる。
【００３９】
下階ペリメータ冷房運転では、図２に示すように、運転制御部４０が、風路切換手段３０を下階室内連通状態に切り換え、且つ、空調機１１を冷房運転状態に切り換えている。これにより、下階室内連通状態にて下階の室内４から還気して空調機１１にて冷却し、その冷却空気を下階のペリメータゾーン４ａに天井側から給気している。よって、下階の室内４のエアバランスを維持しながら、天井側からの冷気の自然降下を利用して下階のペリメータゾーン４ａの温熱環境を効率良く改善することができる。
【００４０】
〔別実施形態〕
本発明の他の実施形態について説明する。尚、以下に説明する各実施形態の構成は、それぞれ単独で適用することに限らず、他の実施形態の構成と組み合わせて適用することも可能である。
【００４１】
（１）上記実施形態では、上階の室内３における上階用還気口１６と上階用給気口１７との位置関係は、上階用還気口１６がインテリアゾーン３ｂ側で上階用給気口１７がペリメータゾーン３ａ側となる配置状態で設けられているが、上階用還気口１６と上階用給気口１７との位置関係は、適宜変更可能である。例えば、上階用還気口１６がペリメータゾーン３ａ側で上階用給気口１７がインテリアゾーン３ｂ側となる配置状態で設けることもできる。また、窓部３ｃに沿って延びる方向において、上階用還気口１６と上階用給気口１７とを交互に配置することもできる。
【００４２】
（２）上記実施形態では、下階の室内４における下階用還気口１８と下階用給気口１９との位置関係は、下階用還気口１８がインテリアゾーン４ｂ側で下階用給気口１９がペリメータゾーン４ａ側となる配置状態で設けられているが、下階用還気口１８と下階用給気口１９との位置関係は、適宜変更可能である。例えば、下階用還気口１８がペリメータゾーン４ａ側で下階用給気口１９がインテリアゾーン４ｂ側となる配置状態で設けることもできる。また、窓部４ｃに沿って延びる方向において、下階用還気口１８と下階用給気口１９とを交互に配置することもできる。
【００４３】
（３）上記実施形態では、風路切換手段３０が、第１〜第４開閉弁３１〜３４を備えた構成を例示したが、上階室内連通状態と下階室内連通状態とに切り換えることができるものであればよく、どのような構成を採用するかは適宜変更が可能である。
例えば、上階用還気路１２と下階用還気路１４との共通の流路部位の上流側端部に三方弁を備え、上階用給気路１３と下階用給気路１５との共通の流路部位の下流側端部に三方弁を備えて２つの三方弁を備えた構成を適用することもできる。
【符号の説明】
【００４４】
１        ペリメータ空調システム
３        上階の室内
３ａ      ペリメータゾーン
３ｂ      インテリアゾーン
４        下階の室内
４ａ      ペリメータゾーン
４ｂ      インテリアゾーン
５        スラブ
６        上階の床部
７ａ      第１床下空間（床下空間）
１１      空調機
１２      上階用還気路
１３      上階用給気路
１４      下階用還気路
１５      下階用給気路
１６      上階用還気口
１７      上階用給気口
１８      下階用還気口
１９      下階用給気口
３０      風路切換手段
４０      運転制御部
【図１】
2019184162.tif 000003
【図２】
2019184162.tif 000004